(57)【特許請求の範囲】
【請求項１】
錠剤を収容するための複数の膨出部を含む成形シートと、
前記成形シートに積層されたカバーシートと、
を備え、
前記カバーシートは、各々に対応する膨出部と重なる位置に配置された複数の押込領域を含み、
各押込領域には、当該押込領域の輪郭に沿って切込みとつなぎとが交互に並べられ、
複数の前記切込みは、長切込みと、当該長切込みよりも短い短切込みと、を含み、
前記カバーシートには、各々に対応する押込領域を横切るように複数の枝配線が設けられ、
前記枝配線は、前記短切込みと、当該短切込みと隣り合うつなぎと、の両方に跨がって延び拡がっており、
前記枝配線が跨がった短切込みの長さと、前記枝配線が跨がったつなぎの長さと、の比が、１：１から５：１の間の範囲にあり、
複数の前記切込みが、前記押込領域の長手軸に対しても、前記押込領域の短手軸に対しても、非対称となるように配列され、
複数の前記つなぎが、前記押込領域の長手軸に対しても、前記押込領域の短手軸に対しても、非対称となるように配列され、
前記短切込みは、前記長手軸の一方の側かつ前記短手軸の一方の側に配置された第１短切込みと、前記長手軸の他方の側かつ前記短手軸の他方の側に配置された第２短切込みと、を含み、
前記枝配線は、前記第１短切込みおよび当該第１短切込みと隣り合う前記つなぎに重なるとともに、前記長手軸の一方の側かつ前記短手軸の一方の側のみに配置された第１幅広部と、前記第２短切込みおよび当該第２短切込みと隣り合う前記つなぎに重なるとともに、前記長手軸の他方の側かつ前記短手軸の他方の側のみに配置された第２幅広部と、前記第１幅広部と前記第２幅広部との間に延びる幅狭部とを含み、
前記第１幅広部および前記第２幅広部の幅は、それぞれ前記幅狭部の幅よりも広い、錠剤管理容器。
【請求項２】
前記枝配線は、当該枝配線が跨がった短切込み及び当該枝配線が跨がったつなぎの両方の全域を覆っている、請求項１に記載の錠剤管理容器。
【請求項３】
前記枝配線は、当該枝配線が跨がったつなぎの両側に位置する２つの切込みに跨がって延び拡がっている、請求項１または２に記載の錠剤管理容器。
【請求項４】
前記枝配線が跨がったつなぎから２ｍｍ以内の距離となる前記カバーシート上の領域の全域が、前記枝配線によって覆われている、請求項１乃至３のいずれか一項に記載の錠剤管理容器。
【請求項５】
前記切込みと前記つなぎとは、閉じた経路上で一列に並べられている、請求項１乃至４のいずれか一項に記載の錠剤管理容器。
【請求項６】
複数の膨出部を含む成形シートと、
前記成形シートに積層されたカバーシートと、
を備え、
前記カバーシートは、各々に対応する膨出部を覆うと共に当該膨出部との間で錠剤を収容するための収容空間を形成する複数の押込領域を含み、
各押込領域には、当該押込領域の輪郭に沿った閉じた経路に沿って一対の切込みと一対のつなぎとが並べられており、
前記カバーシートには、各々に対応する押込領域を横切るように複数の枝配線が設けられ、
前記枝配線は、前記つなぎと、当該つなぎの両側に位置する切込みと、の両方に跨がって延び拡がっており、
前記一対の切込みは、前記押込領域の長手軸に対しても、前記押込領域の短手軸に対しても、非対称となるように配列され、
前記一対のつなぎは、前記押込領域の長手軸に対しても、前記押込領域の短手軸に対しても、非対称となるように配列され、
前記枝配線は、前記一対のつなぎのうちの一方のつなぎおよび当該一方のつなぎの両側に位置する前記切込みに重なるとともに、前記長手軸の一方の側かつ前記短手軸の一方の側のみに配置された第１幅広部と、前記一対のつなぎのうちの他方のつなぎおよび当該他方のつなぎの両側に位置する前記切込みに重なるとともに、前記長手軸の他方の側かつ前記短手軸の他方の側のみに配置された第２幅広部と、前記第１幅広部と前記第２幅広部との間に延びる幅狭部とを含み、
前記第１幅広部および前記第２幅広部の幅は、それぞれ前記幅狭部の幅よりも広い、錠剤管理容器。
【請求項７】
前記カバーシートには、前記押込領域に隣り合って位置する空洞部が設けられており、
前記閉じた経路は、前記空洞部の一部を横切っている、請求項５または６に記載の錠剤管理容器。
【発明の詳細な説明】
【技術分野】
【０００１】
本発明は、収容した錠剤を管理可能な錠剤管理容器に関する。
【背景技術】
【０００２】
複数の錠剤を収容し、収容した錠剤の利用状況を管理する錠剤管理装置が利用に供されている（特許文献１参照）。例えば、特許文献１に示す錠剤管理装置では、複数の錠剤を収容するブリスター容器を有し、このブリスター容器が、電子部品を収容したモジュール機器に装着されている。
【０００３】
このブリスター容器は、錠剤を収容するための複数の膨出部を含む成形シートに、カバーシートを貼り付けて構成される。とりわけ、カバーシートの膨出部を覆う領域には、膨出部の輪郭に沿って切込みとつなぎとが交互に並べられていて、このつなぎを通過するように配線が引かれている。ブリスター容器の膨出部から錠剤が取り出されると、配線がつなぎの辺りから切断され、取り出しの情報として検出されるようになっている。錠剤の取り出しの情報を管理することにより、服用による治療効果を期待された通りに得ることに大きく貢献する。
【先行技術文献】
【特許文献】
【０００４】
【特許文献１】米国特許第８１５１９９０号
【発明の概要】
【発明が解決しようとする課題】
【０００５】
しかしながら、特許文献１に記載の錠剤管理装置では、膨出部から錠剤を取り出した際に、つなぎを通過するように引かれた配線が切断されない場合がある。本発明は、このような点に鑑みてなされたものであり、錠剤を取り出した情報を確実に検出することが可能な錠剤管理容器を提供することを目的とする。
【課題を解決するための手段】
【０００６】
本発明による第１の錠剤管理装置は、錠剤を収容するための複数の膨出部を含む成形シートと、前記成形シートに積層されたカバーシートと、を備え、前記カバーシートは、各々に対応する膨出部と重なる位置に配置された複数の押込領域を含み、各押込領域には、当該押込領域の輪郭に沿って切込みと繋ぎとが交互に並べられ、複数の前記切り込みは、長切込みと、当該長切込みよりも短い短切込みと、を含み、前記カバーシートには、各々に対応する押込領域を横切るように複数の枝配線が設けられ、前記枝配線は、前記短切込みと、当該短切込みと隣り合うつなぎと、の両方に跨がって延び拡がっており、前記枝配線が跨がった短切込みの長さと、前記枝配線が跨がったつなぎの長さと、の比が、１：１から５：１の間の範囲にある。
【０００７】
本発明による第１の錠剤管理装置において、複数の前記切込みが、前記押込領域の長手軸に対しても、前記押込領域の短手軸に対しても、非対称となるように配列されており、
複数の前記つなぎが、前記押込領域の長手軸に対しても、前記押込領域の短手軸に対しても、非対称となるように配列されていてもよい。
【０００８】
本発明による第１の錠剤管理装置において、前記枝配線は、当該枝配線が跨がった短切込み及び当該枝配線が跨がったつなぎの両方の全域を覆っていてもよい。
【０００９】
本発明による第１の錠剤管理装置において、前記枝配線は、前記全域を覆ったつなぎと、当該枝配線が跨がった短切込みとは反対側で隣り合う別の切り込みにも跨がって延び拡がっていてもよい。
【００１０】
本発明による第１の錠剤管理装置において、前記枝配線が跨がったつなぎから２ｍｍ以内の距離となる前記カバーシート上の領域の全域が、前記枝配線によって覆われていてもよい。
【００１１】
本発明による第１の錠剤管理装置において、前記切込みと前記つなぎとは、閉じた経路上で一列に並べられていてもよい。
【００１２】
本発明による第２の錠剤管理装置は、複数の膨出部を含む成形シートと、前記成形シートに積層されたカバーシートと、を備え、前記カバーシートは、各々に膨出部を覆うと共に当該膨出部との間で錠剤を収容するための収容空間を形成する複数の押込領域を含み、各押込領域には、当該押込領域の輪郭に沿った閉じた経路に沿って一対の切込みと一対のつなぎとが並べられており、前記カバーシートには、各々に対応する押込領域を横切るように複数の枝配線が設けられ、前記枝配線は、前記つなぎと、当該つなぎの両側に位置する切込みと、の両方に跨がって延び拡がっており、前記一対の切込みは、前記押込領域の長手軸に対しても、前記押込領域の短手軸に対しても、非対称となるように配列されており、前記一対のつなぎは、前記押込領域の長手軸に対しても、前記押込領域の短手軸に対しても、非対称となるように配列されている。
【００１３】
本発明による第１または第２の錠剤管理装置において、前記カバーシートには、前記押込領域に隣り合って位置する空洞部が設けられており、前記閉じた経路は、前記空洞部の一部を横切っていてもよい。
【発明の効果】
【００１４】
本発明による第１の錠剤管理装置によれば、枝配線が、短切込みと、当該短切込みと隣り合うつなぎと、の両方に跨がって延び拡がり、且つ、この短切込みとつなぎとの長さの比が１：１から５：１の間の範囲にあるため、つなぎが適度に切断され易い状態に維持される。このため、錠剤を取り出すべく押込領域を押圧すると、つなぎの部分が切断されて確実に押込領域が繰り抜かれる。このため、押込領域を横切るように配置された枝配線が確実に破断され、錠剤を取り出した情報を確実に検出することが可能となる。
【００１５】
本発明による第２の錠剤管理装置によれば、枝配線が、つなぎと、当該つなぎの両側に位置する切込みと、の両方に跨がって延び拡がり、且つ、一対の切込み及び一対のつなぎの両方とも、前記押込領域の長手軸及び短手軸のいずれに対しても非対称となるように配列されている。このような形態によれば、つなぎの配置が閉じた経路に沿って適度に分散されるため、押込領域を突き破る前の状態において、押込領域が当該押込領域の周りに位置するカバーシートの部分に安定した姿勢で保持される。このため、薬剤管理装置の製造工程の途中で押込領域がカバーシートの他の部分に対して動いてしまうおそれが低減され、押込領域がカバーシートから意図せず切り離されてしまうことを防止することができる。結果として、押込領域の切り離しに伴い押込領域を横切る枝配線が意図せず破断されてしまうことを低減できる。
【図面の簡単な説明】
【００１６】
【図１】一実施形態に係る錠剤管理装置を示す斜視図。
【図２】図１に示す錠剤管理装置を構成する錠剤管理容器を示す平面図。
【図３】図１に示す錠剤管理装置において、錠剤管理容器をモジュール体に装着する様子を示す斜視図。
【図４】図２に示す錠剤管理容器を構成するカバーシートを広げた状態で表側から示す平面図。
【図５】図４に示すカバーシートを裏側から示す底面図。
【図６】図５に示すカバーシートに設けられた押込領域を拡大して示す平面図。
【図７】図６の一部を拡大して示す平面図。
【図８】図５に示す押込領域の一変形例を示す平面図。
【図９】図８の一部を拡大して示す平面図。
【図１０】図５に示す押込領域の別の変形例を示す平面図。
【図１１】図１０の一部を拡大して示す平面図。
【図１２】図５に示す押込領域のさらに別の変形例を示す平面図。
【図１３】図１２の一部を拡大して示す平面図。
【発明を実施するための形態】
【００１７】
以下、図面を参照して一実施の形態について説明する。なお、本件明細書に添付する図面においては、図示と理解のしやすさの便宜上、適宜縮尺および縦横の寸法比等を、実物のそれらから変更し誇張してある。図１乃至図１３は、一実施の形態及びその変形例を説明するための図である。このうち、図１は、一実施形態に係る錠剤管理装置１を示す斜視図である。
【００１８】
図１に示す錠剤管理装置１は、錠剤の利用に関する情報を管理するモジュール付パッケージである。錠剤管理装置１は、複数の錠剤を収容する錠剤管理容器２を有し、この錠剤管理容器２は、電子部品を収容したモジュール体５に装着されている。錠剤管理容器２から錠剤が取り出されると、この取り出しの情報が錠剤管理容器２に配置された導電回路パターン１５（図２参照）にて検出され、導電回路パターン１５からモジュール体５に送られるようになっている。
【００１９】
図２は、錠剤管理容器２を示す平面図である。図２に示す錠剤管理容器２は、錠剤を収容するための複数の膨出部４ａを含んだ成形シート４に、カバーシート３（図１参照）を積層することにより形成されている。膨出部４ａによって規定される開口を、アルミ製の中間シートを介してカバーシート３で覆うことにより、錠剤を収容する収容空間２ａが規定される。なお、カバーシート３は、折り畳まれた単一のシートにて構成されているが、この点については図４乃至図７を参照して後述する。
【００２０】
成形シート４に設けられた複数の膨出部４ａは、錠剤管理容器２内で二次元配列されている。図２に示す例では、図２中横方向に並んだ７つの膨出部４ａが、図２中縦方向に２列並べられ、合計で１４個の膨出部４ａが設けられている。
【００２１】
この膨出部４ａに収容される錠剤としては、医薬品として用いられるものや健康食品として用いられるものが挙げられる。本実施の形態では、錠剤として、医薬品としての錠剤が収容されている。なお、錠剤とは、カプセルやタブレットとも呼ばれ得るものを含む概念である。
【００２２】
カバーシート３には、導電回路パターン１５が配置されている。導電回路パターン１５は、膨出部４ａから錠剤が取り出された情報を検出するための回路である。導電回路パターン１５をなす複数の枝配線１６が、各膨出部４ａを覆うカバーシート３の部分に掛け渡されている。各枝配線１６は、複数の膨出部４ａが配置された領域とは異なる領域に配置された導電端子群１７に電気的に接続されている。
【００２３】
錠剤を取り出すべくカバーシート３が突き破られると、膨出部４ａを覆うカバーシート３の部分に掛け渡された枝配線１６が断線する。この断線した情報が、当該枝配線１６から導電端子群１７に電気信号として伝わることにより、膨出部４ａから錠剤が取り出された情報を検出するようになっている。
【００２４】
このような錠剤管理容器２は、モジュール体５に取り外し可能に装着される。図３にモジュール体５に錠剤管理容器２を装着する様子を示す。図３に示すように、モジュール体５は、旋回可能に接続された本体部品８０及びカバー部品８５を有している。図３に示すモジュール体５は、本体部品８０とカバー部品８５との間で錠剤管理容器２を挟んで当該錠剤管理容器２を保持する（図１参照）。本実施の形態では、本体部品８０とカバー部品８５との間で錠剤管理容器２を挟んだ状態で、本体部品８０に設けられたロック部材８１を作動させることにより、錠剤管理容器２を挟持するようになっている。
【００２５】
本体部品８０は、カバー部品８５に覆われる内面８０ａを含んでいる。本体部品８０の内面８０ａに、一方向に延びる溝８０ｂが形成されていて、この溝８０ｂ内にモジュール端子群（不図示）が配置されている。モジュール端子群は、カバー部品８５との間で錠剤管理容器２を挟んだ状態において導電端子群１７と接続される。
【００２６】
次に、このような構成からなる錠剤管理装置１の利用方法の一例について説明する。
【００２７】
錠剤管理装置１は、例えば通院中の患者によって利用される。利用者は、食後や決まった時間帯に錠剤管理容器２に収容された錠剤を取り出して服用する。錠剤を取り出すべくカバーシート３が突き破られると、導電回路パターン１５の枝配線１６が断線し、この断線した情報が、膨出部４ａから錠剤が取り出された情報を示す電気信号として導電端子群１７からモジュール端子群に伝わる。モジュール端子群に伝わった信号は、モジュール体５内の電子機器で処理される。
【００２８】
次に、錠剤管理容器２を成形シート４と共に構成するカバーシート３について図４及び図５を参照して説明する。図４は、カバーシート３を拡げた状態で表面３ａ側から示す平面図であり、図５は、カバーシート３を拡げた状態で裏面３ｂ側から示す底面図である。図４及び図５に示すカバーシート３は、可撓性をもつ紙またはプラスチックからなる単一のシートを、長手方向に三等分して折り畳んだ構造になっている。
【００２９】
図４及び図５に示すように、カバーシート３は、その長手方向ｄ１にこの順で並べられた中基板４０、下基板１０及び上基板５０を含んでいる。中基板４０と下基板１０とは、折曲補助手段６１を介して接続され、下基板１０と上基板５０とは、別の折曲補助手段６１を介して接続されている。図４及び図５に示す展開状態から、中基板４０と下基板１０とを折曲補助手段６１を利用して折り畳んだ後に、下基板１０と上基板５０とを折曲補助手段６１を利用して折り畳むと、カバーシート３は、図２に示す大きさとなる。
【００３０】
上基板５０は、図２に示す折畳状態Ｃ１において最も表側に重ねられた層をなす。図４に示すように、上基板５０の表側となる面には、錠剤管理容器２の表紙としての印刷情報５２が印刷されている。また、上基板５０には、成形シート４の膨出部４ａを通過させるための複数の繰抜孔５１が設けられている。繰抜孔５１は、膨出部４ａの配列に対応して、合計で１４個設けられている。
【００３１】
中基板４０は、図２に示す折畳状態Ｃ１において下基板１０と上基板５０との間に位置する。中基板４０は、下基板１０に形成された導電回路パターン１５を保護する機能をもつ。中基板４０には、膨出部４ａの形状に対応した複数の切れ目４１が設けられている。複数の切れ目４１は、膨出部４ａの配列に対応して、合計で１４個設けられている。
【００３２】
下基板１０は、図２に示す折畳状態Ｃ１において、最も裏側に重ねられた層をなす。図５に示すように、下基板１０には、各々に対応する膨出部４ａ（図１参照）と重なるように配置された複数の押込領域１４が設けられている。各押込領域１４は、対応する膨出部４ａを覆い、当該膨出部４ａとの間で錠剤を収容するための収容空間２ａ（図１参照）を形成している。
【００３３】
中基板４０に覆われるようになる下基板１０の内面には、膨出部４ａから錠剤が取り出された情報を検出するための導電回路パターン１５が配置されている。導電回路パターン１５は、各々に対応する押込領域１４を横切る複数の枝配線１６を含んでいる。
【００３４】
各枝配線１６は、下基板１０のうちの、折畳状態Ｃ１で中基板４０から露出する領域に配置された導電端子群１７に電気的に接続されている。図５に示す例では、導電端子群１７は、カバーシート３の長手方向ｄ１に並べられた複数の導電端子１７ａを含み、各導電端子１７ａに、押込領域１４を横切る枝配線１６が１つずつ接続されている。
【００３５】
図６に、押込領域１４を横切る枝配線１６を拡大して示す。図６に示すように、各押込領域１４には、当該押込領域１４の輪郭に沿って切込み２１とつなぎ３１とが交互に並べられている。このことにより、収容空間２ａに収容された錠剤を取り出すべく、切込み２１に沿って押込領域１４が繰り抜かれると、枝配線１６が破断するようになっている。
【００３６】
図６に示す複数の切込み２１と複数のつなぎ３１とは、押込領域１４の輪郭に沿った閉じた経路Ｃｐ上で一列に並べられている。本実施の形態では、閉じた経路Ｃｐは、一対の半円ｍ、ｍと、一対の半円ｍ、ｍの端部間に掛け渡される互いに平行な一対の直線ｎ、ｎと、で形成されるスロット形状の輪郭に沿う。
【００３７】
本実施の形態において、複数の切込み２１は、長切込み２２と、当該長切込み２２よりも短い短切込み２３と、を含んでいる。図６に示す例では、長切込み２２と短切込み２３とが交互に並べられ、合計で２つの長切込み２２と２つの短切込み２３とが閉じた経路Ｃｐ上で一列に並べられている。一例として、短切込み２３の長さは、長切込み２２の長さの１／５未満、例えば１／１０未満程度に設定され得る。
【００３８】
また複数の切込み２１が、押込領域１４の長手軸ｘ１に対しても、押込領域１４の短手軸ｘ２に対しても、非対称となるように配列されており、複数のつなぎ３１も、押込領域１４の長手軸ｘ１に対しても、押込領域１４の短手軸ｘ２に対しても、非対称となるように配列されている。図６に示す例では、押込領域１４の長手軸ｘ１は、閉じた経路Ｃｐをなす一対の直線ｎ、ｎに平行で当該２つの直線ｎ、ｎの中央に位置する。押込領域１４の短手軸ｘ２は、長手軸ｘ１に直交する直線であって、閉じた経路Ｃｐをなす直線ｎ、ｎの中点を通る直線である。
【００３９】
このような形態によれば、つなぎ３１の配列が閉じた経路Ｃｐに沿って適度に分散されるため、押込領域１４を突き破る前の状態において、押込領域１４が当該押込領域１４の周りに位置するカバーシート３の部分に安定した姿勢で保持される。このため、薬剤管理装置製造工程において、押込領域１４が当該押込領域１４の周りに位置するカバーシート３の部分に対して動いてしまうおそれが低減され、押込領域１４がカバーシート３から意図せず切り離されてしまうことを防止することができる。
【００４０】
この切込み２１及びつなぎ３１を枝配線１６が跨いでいる。図６に示す例では、各枝配線１６は、切込み２１及びつなぎ３１に重なる領域に配置された２つの幅広部１６ａと、２つの幅広部１６ａの間を延びる幅狭部１６ｂと、各々に対応する幅広部１６ａから導電端子１７ａに向かうリード部１６ｃと、を含んでいる。幅狭部１６ｂの幅Ｗ２及びリード部１６ｃの幅Ｗ３は、幅広部１６ａの幅Ｗ１よりも狭い。なお、本明細書でいう枝配線１６の幅とは、対象となる位置における枝配線１６の延びる方向に直交する方向における枝配線１６の長さをいう。
【００４１】
図７に、幅広部１６ａを拡大して示す。図７に示すように、幅広部１６ａは、１つの短切込み２３と、当該短切込み２３と隣り合う少なくとも１つのつなぎ３１と、の両方に跨がって延び拡がっている。図７に示す例では、幅広部１６ａは、１つの短切込み２３と、当該短切込み２３の両側に位置する２つのつなぎ３１と、当該２つのつなぎ３１のさらに両側に位置する２つの長切込み２２と、に跨がって延び拡がっている。
【００４２】
とりわけ、幅広部１６ａは、当該幅広部１６ａが跨がった１つの短切込み２３及び当該幅広部１６ａが跨がった２つのつなぎ３１の全域を覆っている（全域と重なっている）。その一方で、幅広部１６ａは、この全域を覆った２つのつなぎ３１の両側に位置する長切込み２２の一部を覆っている（一部と重なっている）。
【００４３】
また、図７に示す例では、製造条件に起因する誤差を考慮して、幅広部１６ａが跨がったつなぎ３１から２ｍｍ以内の距離となるカバーシート３上の領域Ｓ１の全域が、幅広部１６ａによって覆われている。すなわち、幅広部１６ａが跨がったつなぎ３１上の任意の地点から２ｍｍ以内の距離となるカバーシート３上の領域Ｓ１、より具体的には、図７に示す二点鎖線で囲まれたスロット状の領域が、幅広部１６ａによって覆われている。
【００４４】
さらに、本実施の形態では、幅広部１６ａが跨がった短切込み２３の長さＬ３と、幅広部１６ａが跨がった一方のつなぎ３１の長さＬ４と、の比が、１：１から５：１の間の範囲に設定してある。このような形態によれば、つなぎ３１が適度に切断され易い状態に維持されるため、錠剤を取り出すべく押込領域１４を押圧すると、つなぎ３１の部分が切断されて確実に押込領域１４が繰り抜かれる。このため、押込領域１４を横切るように配置された枝配線１６が確実に破断され、錠剤を取り出した情報を確実に検出することが可能となる。
【００４５】
さて、図５に戻って、隣り合う基板１０、４０、５０の間に折曲補助手段６１が設けられている。折曲補助手段６１は、当該隣り合う２つの基板１０、４０、５０を折り曲げた際に、当該折曲補助手段６１を設けられた位置にて基板１０、４０、５０が折り曲げられること、さらには基板１０、４０、５０が折り畳まれることを促進するためのものである。折曲補助手段６１は、隣り合う２つの基板１０、４０、５０の境界となる位置で、カバーシート３の短手方向ｄ２に沿って直線状に延びている。
【００４６】
折曲補助手段６１は、それ自体既知の態様で実現され得る。例えば、折曲補助手段６１は、連続的に形成された溝からなるハーフカットラインであってもよいし、断続的に形成された破線（ミシン目）であってもよい。
【００４７】
このようなカバーシート３によれば、図４及び図５に示す展開状態から、中基板４０を裏面３ｂ側となる下基板１０の内面を覆うように折曲補助手段６１から折り畳み、上基板５０を下基板１０に重なった中基板４０を覆うように折曲補助手段６１から折り畳む。続いて、折り畳まれた中基板４０と上基板５０との間に成形シート４が挟み込まれ、上基板５０の各繰抜孔５１から、成形シート４の対応する膨出部４ａが突き出される。その後、互いに重ねられた下基板１０と中基板４０とをヒートシールし、成形シート４を挟んだ状態で互いに重ねられた中基板４０と上基板５０とをヒートシールすることで、図２に示す折畳状態Ｃ１となる。図２に示す状態において、下基板１０のうちの中基板４０及び上基板５０よりも突き出た部分は、当該中基板４０及び上基板５０から露出している。そして、この下基板１０の露出した領域に、上述の導電端子群１７が位置している。
【００４８】
なお、成形シート４の膨出部４ａがカバーシート３の押込領域１４によって直積的に覆われてもよいが、通常は、成形シート４の各膨出部４ａを覆うように例えばアルミ製の中間シートが成形シート４に貼り付けられる。そして、この中間シートを介して成形シート４の膨出部４ａがカバーシート３の押込領域１４に覆われる。
【００４９】
以上のように、本実施の形態によれば、錠剤を収容するための複数の膨出部４ａを含む成形シート４と、成形シート４に積層されたカバーシート３と、を備え、カバーシート３は、各々に対応する膨出部４ａと重なる位置に配置された複数の押込領域１４を含み、各押込領域１４には、当該押込領域１４の輪郭に沿って切込み２１とつなぎ３１とが交互に並べられ、複数の切込み２１は、長切込み２２と、当該長切込み２２よりも短い短切込み２３と、を含み、カバーシート３には、各々に対応する押込領域１４を横切るように複数の枝配線１６が設けられ、枝配線１６は、短切込み２３と、当該短切込み２３と隣り合うつなぎ３１と、の両方に跨がって延び拡がっており、枝配線１６が跨がった短切込み２３の長さＬ３と、枝配線１６が跨がったつなぎ３１の長さＬ４と、の比が、１：１から５：１の間の範囲にある。このような形態によれば、つなぎ３１が適度に切断され易い状態に維持されるため、錠剤を取り出すべく押込領域１４を押圧すると、つなぎ３１の部分が切断されて確実に押込領域１４が繰り抜かれる。このため、押込領域１４を横切るように配置された枝配線１６が確実に破断され、錠剤を取り出した情報を確実に検出することが可能となる。
【００５０】
また、本実施の形態によれば、複数の切込み２１が、押込領域１４の長手軸ｘ１に対しても、押込領域１４の短手軸ｘ２に対しても、非対称となるように配列されており、複数のつなぎ３１が、押込領域１４の長手軸ｘ１に対しても、押込領域１４の短手軸ｘ２に対しても、非対称となるように配列されている。このような形態によれば、つなぎ３１の配置が閉じた経路Ｃｐに沿って適度に分散されるため、押込領域１４を突き破る前の状態において、押込領域１４が当該押込領域１４の周りに位置するカバーシート３の部分に安定した姿勢で保持される。このため、薬剤管理装置製造工程において、押込領域１４がカバーシート３の他の部分に対して動いてしまうおそれが低減され、押込領域１４がカバーシート３から意図せず切り離されてしまうことを防止することができる。
【００５１】
また、本実施の形態によれば、枝配線１６は、当該枝配線１６が跨がった短切込み２３及び当該枝配線１６が跨がったつなぎ３１の両方の全域を覆っている。この場合、製造誤差に起因して枝配線１６の位置がずれてしまった場合であっても、枝配線１６を確実につなぎ３１上に配置することに寄与する。この結果、押込領域１４を突き破る前の状態において、枝配線１６と導電端子群１７間の間を確実に導通することが可能となる。
【００５２】
また、本実施の形態によれば、枝配線１６は、枝配線１６が跨がったつなぎ３１の両側に位置する２つの切込み２２、２３に跨がって延び拡がっている。すなわち、枝配線１６は、枝配線１６が跨がったつなぎ３１の一側で隣り合う短切込み２３だけでなく他側で隣り合う長切込み２２にも跨がって延び拡がっている。この場合、製造誤差に起因して枝配線１６の位置がずれてしまった場合であっても、枝配線１６をさらに確実につなぎ３１上に配置することに寄与する。この結果、押込領域１４を突き破る前の状態において、枝配線１６と導電端子群１７間の間を確実に導通することが可能となる。
【００５３】
さらに、本実施の形態によれば、枝配線１６が跨がったつなぎ３１から２ｍｍ以内の距離となるカバーシート３上の領域Ｓ１の全域が、枝配線１６によって覆われている。この場合も、製造誤差に起因して枝配線１６の位置がずれてしまった場合であっても、枝配線１６をさらに確実につなぎ３１上に配置することに寄与する。
【００５４】
また、本実施の形態によれば、切込み２１とつなぎ３１とは、閉じた経路Ｃｐ上で一列に並べられている。この場合、錠剤を取り出すべく押込領域１４を押圧すると、つなぎ３１の部分が切断されて確実に押込領域１４が繰り抜かれ易くなる。
【００５５】
≪変形例≫
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００５６】
上述した実施の形態では、図６に示すように、膨出部４ａの輪郭がスロット形状である例を示したが、膨出部４ａの形状は、上述した例に限定されない。図８及び図９に膨出部４ａの他の形状例を示す。図８及び図９に示す例では、膨出部４ａの輪郭は、円形に形成されている。
【００５７】
図８及び図９に示す例においても、複数の切込み２１と複数のつなぎ３１とが、押込領域１４の輪郭に沿った閉じた経路Ｃｐ上で一列に並べられている。本実施の形態において、複数の切込み２１は、長切込み２２と短切込み２３とを含み、これらは、閉じた経路Ｃｐ上で交互に並べられている。
【００５８】
この切込み２１及びつなぎ３１を枝配線１６が跨いでいる。各枝配線１６は、切込み２１及びつなぎ３１に重なる領域に配置された２つの幅広部１６ａと、２つの幅広部１６ａの間を延びる幅狭部１６ｂと、各々に対応する幅広部１６ａから導電端子１７ａに向かうリード部１６ｃと、を含んでいる。
【００５９】
図８及び図９に示す例においても、複数の膨出部４ａを含む成形シート４と、成形シート４に積層されたカバーシート３と、を備え、カバーシート３は、各々に対応する膨出部４ａを覆うと共に当該膨出部４ａとの間で錠剤を収容するための収容空間２ａを形成する複数の押込領域１４を含み、各押込領域１４には、当該押込領域１４の輪郭に沿って切込み２１とつなぎ３１とが交互に並べられ、複数の切込み２１は、長切込み２２と、当該長切込み２２よりも短い短切込み２３と、を含み、カバーシート３には、各々に対応する押込領域１４を横切るように複数の枝配線１６が設けられ、枝配線１６は、短切込み２３と、当該短切込み２３と隣り合うつなぎ３１と、の両方に跨がって延び拡がっており、枝配線１６が跨がった短切込み２３の長さＬ３と、枝配線１６が跨がったつなぎ３１の長さＬ４と、の比が、１：１から５：１の間の範囲にある。このような形態によれば、つなぎ３１が適度に切断され易い状態に維持されるため、錠剤を取り出すべく押込領域１４を押圧すると、つなぎ３１の部分が切断されて確実に押込領域１４が繰り抜かれる。このため、押込領域１４を横切るように配置された枝配線１６が確実に破断され、錠剤を取り出した情報を確実に検出することが可能となる。
【００６０】
また、図８及び図９に示す形態によれば、枝配線１６は、当該枝配線１６が跨がった短切込み２３及び当該枝配線１６が跨がったつなぎ３１の両方の全域を覆っている。この場合、製造誤差に起因して枝配線１６の位置がずれてしまった場合であっても、枝配線１６を確実につなぎ３１上に配置することに寄与する。この結果、押込領域１４を突き破る前の状態において、枝配線１６と導電端子群１７間の間を確実に導通することが可能となる。
【００６１】
さらに、図８及び図９に示す形態によれば、枝配線１６は、枝配線１６が跨がったつなぎ３１の両側に位置する２つの切込み２２、２３に跨がって延び拡がっている。すなわち、枝配線１６は、枝配線１６が跨がったつなぎ３１の一側で隣り合う短切込み２３だけでなく他側で隣り合う長切込み２２にも跨がって延び拡がっている。この場合、製造誤差に起因して枝配線１６の位置がずれてしまった場合であっても、枝配線１６をさらに確実につなぎ３１上に配置することに寄与する。この結果、押込領域１４を突き破る前の状態において、枝配線１６と導電端子群１７間の間を確実に導通することが可能となる。
【００６２】
また、上述した実施の形態では、図６に示すように、２つの長切込み２２と２つの短切込み２３とが押込領域１４に形成された例を示したが、切込み２１の数は、上述した例に限定されない。図１０及び図１１に切込み２１の他の例を示す。図１０及び図１１に示す例では、一対の切込み２１と一対のつなぎ３１とが、スロット形状の閉じた経路Ｃｐに沿って一列に並べられている。
【００６３】
図８及び図９に示す例においても、切込み２１及びつなぎ３１を枝配線１６が跨いでいる。各枝配線１６は、切込み２１及びつなぎ３１に重なる領域に配置された２つの幅広部１６ａと、２つの幅広部１６ａの間を延びる幅狭部１６ｂと、各々に対応する幅広部１６ａから導電端子１７ａに向かうリード部１６ｃと、を含んでいる。
【００６４】
図８及び図９に示す例によれば、複数の膨出部４ａを含む成形シート４と、成形シート４に積層されたカバーシート３と、を備え、カバーシート３は、各々に対応する膨出部４ａを覆うと共に当該膨出部４ａとの間で錠剤を収容するための収容空間２ａを形成する複数の押込領域１４を含み、各押込領域１４には、当該押込領域１４の輪郭に沿った閉じた経路Ｃｐに沿って一対の切込み２１と一対のつなぎ３１とが並べられ、カバーシート３には、各々に対応する押込領域１４を横切るように複数の枝配線１６が設けられ、枝配線１６は、つなぎ３１と、当該つなぎ３１の両側に位置する切込み２１と、の両方に跨がって延び拡がっており、一対の切込み２１は、押込領域１４の長手軸ｘ１に対しても、押込領域１４の短手軸ｘ２に対しても、非対称となるように配列されており、一対のつなぎ３１は、押込領域１４の長手軸ｘ１に対しても、押込領域１４の短手軸ｘ２に対しても、非対称となるように配列されている。このような形態によれば、つなぎ３１の配置が閉じた経路Ｃｐに沿って適度に分散されるため、押込領域１４を突き破る前の状態において、押込領域１４が当該押込領域１４の周りに位置するカバーシート３の部分に安定した姿勢で保持される。このため、薬剤管理装置製造工程において、押込領域１４がカバーシート３の他の部分に対して動いてしまうおそれが低減され、押込領域１４がカバーシート３から意図せず切り離されてしまうことを防止することができる。結果として、押込領域１４の切り離しに伴い押込領域１４を横切る枝配線１６が意図せず破断されてしまうことを防止することができ、錠剤を取り出した情報を誤検知してしまうおそれを低減することが可能となる。
【００６５】
また、上述した実施の形態において、カバーシート３の下基板１０に空洞部１８が設けられていてもよい。図１２及び図１３に、空洞部１８をさらに設けた例を示す。図１２及び図１３に示す例では、カバーシート３に、各々に対応する押込領域１４に隣り合って位置する複数の空洞部１８が設けられている。
【００６６】
図１２及び図１３に示す例においても、複数の切込み２１と複数のつなぎ３１とが、押込領域１４の輪郭に沿った閉じた経路Ｃｐ上で一列に並べられている。ただし、閉じた経路Ｃｐは、略ね矩形形状であるが、一部に入り組んだ形状をもつ。そして、この閉じた経路Ｃｐが、空洞部１８の一部を横切っている。したがって、複数の切込み２１と複数のつなぎ３１とは、空洞部１８の外縁の或る位置Ｐ１から空洞部１８の外縁の別の或る位置Ｐ２に向かって、交互に並ぶことなる。
【００６７】
とりわけ、複数の切込み２１は、２つの長切込み２２と、２つの第１短切込み２３ａと、２つの第２短切込み２３ｂと、２つの第３短切込み２３ｃと、とを含んでいる。図示する例では、２つの長切込み２２が互いに隣り合い、第１短切込み２３ａが長切込み２２と隣り合い、第３短切込み２３ｃが空洞部１８と隣り合うように配置され、第２短切込み２３ｂは、第１短切込み２３ａと第３短切込み２３ｃとの間に位置している。
【００６８】
この切込み２１及びつなぎ３１を枝配線１６が跨いでいる。各枝配線１６は、切込み２１及びつなぎ３１に重なる領域に配置された２つの幅広部１６ａと、２つの幅広部１６ａの間を延びる幅狭部１６ｂと、各々に対応する幅広部１６ａから導電端子１７ａに向かうリード部１６ｃと、を含んでいる。
【００６９】
図１２及び図１３に示す例においても、複数の膨出部４ａを含む成形シート４と、成形シート４に積層されたカバーシート３と、を備え、カバーシート３は、各々に対応する膨出部４ａを覆うと共に当該膨出部４ａとの間で錠剤を収容するための収容空間２ａを形成する複数の押込領域１４を含み、各押込領域１４には、当該押込領域１４の輪郭に沿って切込み２１とつなぎ３１とが交互に並べられ、複数の切込み２１は、長切込み２２と、当該長切込み２２よりも短い短切込み２３と、を含み、カバーシート３には、各々に対応する押込領域１４を横切るように複数の枝配線１６が設けられ、枝配線１６は、短切込み２３ａと、当該短切込み２３ａと隣り合うつなぎ３１と、の両方に跨がって延び拡がっており、枝配線１６が跨がった短切込み２３ａの長さＬ３と、枝配線１６が跨がったつなぎ３１の長さＬ４と、の比が、１：１から５：１の間の範囲にある。このような形態によれば、つなぎ３１が適度に切断され易い状態に維持されるため、錠剤を取り出すべく押込領域１４を押圧すると、つなぎ３１の部分が切断されて確実に押込領域１４が繰り抜かれる。このため、押込領域１４を横切るように配置された枝配線１６が確実に破断され、錠剤を取り出した情報を確実に検出することが可能となる。
【００７０】
また、本実施の形態によれば、複数の切込み２１が、押込領域１４の長手軸ｘ１に対しても、押込領域１４の短手軸ｘ２に対しても、非対称となるように配列されており、複数のつなぎ３１が、押込領域１４の長手軸ｘ１に対しても、押込領域１４の短手軸ｘ２に対しても、非対称となるように配列されている。このような形態によれば、つなぎ３１の配置が閉じた経路Ｃｐに沿って適度に分散されるため、押込領域１４を突き破る前の状態において、押込領域１４が当該押込領域１４の周りに位置するカバーシート３の部分に安定した姿勢で保持される。このため、薬剤管理装置製造工程において、押込領域１４がカバーシート３の他の部分に対して動いてしまうおそれが低減され、押込領域１４がカバーシート３から意図せず切り離されてしまうことを防止することができる。
【００７１】
また、本実施の形態によれば、カバーシート３には、押込領域１４に隣り合って位置する空洞部１８が設けられており、閉じた経路Ｃｐは、空洞部１８の一部を横切っている。この場合、空洞部１８に指を添えながら押込領域１４を切込み２１に沿って切り離すことができるため、押込領域１４を容易に剥がすことができる点で優れている。
【００７２】
なお、以上において上述した実施の形態に対するいくつかの変形例を説明してきたが、当然に、複数の変形例を適宜組み合わせて適用することも可能である。
【符号の説明】
【００７３】
１    錠剤管理装置
２    錠剤管理容器
２ａ  収容空間
３    カバーシート
４    成形シート
４ａ  膨出部
１０  下基板１０
１４  押込領域１４
１５  導電回路パターン
１６  枝配線
１６ａ  幅広部
１７  導電端子群
１８  空洞部
２１  切込み
２２  長切込み
２３  短切込み
３１  つなぎ
【図１】
0006614480.tif 000002
【図２】
0006614480.tif 000003
【図３】
0006614480.tif 000004
【図４】
0006614480.tif 000005
【図５】
0006614480.tif 000006
【図６】
0006614480.tif 000007
【図７】
0006614480.tif 000008
【図８】
0006614480.tif 000009
【図９】
0006614480.tif 000010
【図１０】
0006614480.tif 000011
【図１１】
0006614480.tif 000012
【図１２】
0006614480.tif 000013
【図１３】
0006614480.tif 000014